(57)【特許請求の範囲】
【請求項１】
使用者の尿を受けるボウル部を有し、前記ボウル部に洗浄水を供給する機能部材を収納する収納室が前記ボウル部の上部且つ後方側において形成された小便器本体と、
前記収納室の内部にて前記機能部材の少なくとも一部の下方に設けられ前記収納室を上下に分割するトレイ部材と、
を備える小便器装置において、
前記トレイ部材は、上下方向の貫通孔が開設された開口部と、前記貫通孔を覆う被覆部と、を有し、前記被覆部は、前記貫通孔に配管部材を挿通可能に形成され、
前記貫通孔は、後方側が開放された切欠き形状に形成され、
前記被覆部は、
前記貫通孔の左右両端の内の一方側から他方側へ斜め前方に向けて延びる帯状の複数の第１スリット形成部と、
隣接する前記各第１スリット形成部同士の他方側端部の間に向けて、前記貫通孔の左右両端の内の他方側から一方側へ斜め前方に向けて延びる帯状の複数の第２スリット形成部と、を有する小便器装置。
【請求項２】
前記各第１スリット形成部の前方側端面は、前記各第２スリット形成部の先端面に沿って延ばした仮想線と一致するよう形成された請求項１に記載の小便器装置。
【請求項３】
上下方向に延び、給水源からの洗浄水を前記機能部材に供給する給水配管である、前記配管部材を備える、請求項１または請求項２に記載の小便器装置。
【発明の詳細な説明】
【技術分野】
【０００１】
本発明は、使用者の尿を受ける小便器装置に関する。
【背景技術】
【０００２】
従来、使用者の尿を受ける小便器装置として、ボウル部の上部且つ後方側に収納室が形成され、この収納室に機能部材を収納し、機能部材の下方に設けられたトレイを備えるものが知られている（例えば、特許文献１）。
【先行技術文献】
【特許文献】
【０００３】
【特許文献１】特開２０１５−１０５５３６号公報
【発明の概要】
【発明が解決しようとする課題】
【０００４】
通常、給水源からの洗浄水が小便器装置に対して給水される位置である給水位置は一定ではないが、様々な給水位置に対応した小便器装置をそれぞれ用意することはコスト増加や施行の手間が増えることが懸念される。上述したボウル部の上部且つ後方側に収納室が形成された小便器装置において、様々な給水位置に対応する方法として、収納室のサイズを比較的大きくすることが考えられる。収納室のサイズを比較的大きくし、収納室内部にて様々な給水位置に対応した配管部材をそれぞれ用意することで、様々な給水位置に対応した小便器装置をそれぞれ用意する場合に比べて、コスト増加や施行の手間を抑えることができる。
一方、機能部材の下方に設けられたトレイを備える小便器装置においては、機能部材や、ボルト等の固定具、工具等が施工時やメンテナンス時に落下した際に、それら落下物をトレイが受けることで、容易に拾い上げることができる。落下物を容易に拾い上げるためには、トレイは比較的上方にある必要がある。そのため、収納室のサイズを比較的大きくする場合、落下物を容易に拾い上げるためのトレイの位置に対して、給水位置が下方となる可能性が考えられる。トレイの位置に対して給水位置が下方にある場合、給水位置から洗浄水が供給される機能部材はトレイの上方に位置するため、給水位置と機能部材とを繋ぐための配管部材は、トレイと干渉してしまい施行ができないという懸念がある。
【０００５】
本発明は、上述した問題を解決するためになされたものであり、様々な給水位置に対応可能であるとともに、施工やメンテナンス等の収納室内部への作業時に機能部材、機能部材に関係するネジ等の部品や工具が落下しても、下方へ落下することを抑制することが可能な小便器装置を提供することを目的とする。
【課題を解決するための手段】
【０００６】
本発明は、使用者の尿を受けるボウル部を有し、前記ボウル部に洗浄水を供給する機能部材を収納する収納室が前記ボウル部の上部且つ後方側において形成された小便器本体と、前記収納室の内部にて前記機能部材の少なくとも一部の下方に設けられ前記収納室を上下に分割するトレイ部材と、を備える小便器装置において、前記トレイ部材は、上下方向の貫通孔が開設された開口部と、前記貫通孔を覆う被覆部と、を有し、前記被覆部は、前記貫通孔に配管部材を挿通可能に形成され、前記貫通孔は、後方側が開放された切欠き形状に形成され、前記被覆部は、前記貫通孔の左右両端の内の一方側から他方側へ斜め前方に向けて延びる帯状の複数の第１スリット形成部と、隣接する前記各第１スリット形成部同士の他方側端部の間に向けて、前記貫通孔の左右両端の内の他方側から一方側へ斜め前方に向けて延びる帯状の複数の第２スリット形成部と、を有する小便器装置である。
【０００７】
このように構成された本発明においては、トレイ部材は、上下方向の貫通孔が開設された開口部と、貫通孔を覆う被覆部と、を有し、被覆部は、貫通孔に配管部材を挿通可能に形成される。そのため、配管部材を挿通する必要がない場合だけでなく挿通する必要がある場合においても、施工やメンテナンス等の収納室内部への作業時に機能部材、機能部材に関係するネジ等の部品や工具が落下しても、貫通孔から下方へ落下することが抑制される。従って、作業時において、ネジ等の部品が作業者の手の届かない位置にまで落下していき小便器を外さなくてはネジ等を拾い上げられないという状況の発生を抑制することができる。さらに、配管部材を挿通する必要の有無によって、それぞれ別のトレイ部材を用意する必要がなく、コストの増加及び管理の手間を少なくすることができる。
さらに、このように構成された本発明においては、貫通孔に配管部材を挿通させる際、容易に行うことができる。また、複数のスリットが形成されるため、小便器本体等の製造誤差を吸収することができる。
【００１０】
本発明は、さらに、前記各第１スリット形成部の前方側端面は、前記各第２スリット形成部の先端面に沿って延ばした仮想線と一致するよう形成されてもよい。
【００１１】
このように構成された本発明においては、貫通孔に配管部材を挿通させる際、より容易に行うことができる。
【００１２】
本発明は、さらに、上下方向に延び、給水源からの洗浄水を前記機能部材に供給する給水配管である、前記配管部材を備えてもよい。
【００１３】
このように構成された本発明においては、配管部材により様々な給水位置に対応することができる。
【発明の効果】
【００１４】
本発明の小便器装置によれば、様々な給水位置に対応可能であるとともに、施工やメンテナンス等の収納室内部への作業時に機能部材、機能部材に関係するネジ等の部品や工具が落下しても、下方へ落下することを抑制することが可能となる。
【図面の簡単な説明】
【００１５】
【図１】本発明の一実施形態による小便器装置を示す側面断面図。
【図２】本発明の一実施形態による小便器装置の上蓋を取り外した状態の上部を示す背面図。
【図３】本発明の一実施形態によるトレイ部材を示す斜視図。
【発明を実施するための形態】
【００１６】
以下、図面を参照して本発明の一実施形態による小便器装置について説明する。
まず、図１により本発明の一実施形態による小便器装置の構成について説明する。図１は本発明の一実施形態による小便器装置を示す側面断面図である。
図１に示すように、本発明の一実施形態に係る小便器装置１は、床面Ｆ上に配置される床置き式の小便器であり、陶器製の小便器本体２を備えており、この小便器本体２は、その背後の壁面Ｗに取付けられている。また、小便器装置１は、小便器本体２を洗浄するための洗浄水を吐水する自動洗浄ユニット４（機能部材）を備えている。
以下、小便器装置１の使用者の使用時における正面側（図１における左側）を前方側、その背面側（図１における右側）を後方側（奥側）、前方側から見て左側を左側、前方側から見て右側を右側として説明する。
【００１７】
つぎに、図１に示すように、小便器本体２は、正面側に形成されるボウル部６と、このボウル部６の底部に形成された排水口部８を備えている。この排水口部８の下方には、排水口８ａが形成されている。
また、ボウル部６は、その上端から下部に亘って下方ほど内側且つ奥行側（後方側）に位置するボウル面６ａを形成している。そして、このボウル面６ａの上下方向の中央付近から下方に形成されるボウル面下部６ｂは、後方側に向かって緩やかに湾曲状に張り出すような湾曲面を形成し、その下方且つ前方側の排水口部８まで延びた後、この排水口部８から排水口８ａに向かって緩やかな下り傾斜するように形成している。このようなボウル面下部６ｂにより、ボウル部６内の奥行空間が後方側に奥まっており、前後方向に広くなっている。そして、ボウル部６は、正面側壁部７の上端面７ｂからボウル面下部６ｂの上方のボウル面６ａを経てボウル面下部６ｂに亘って連続した曲面形状となっている。すなわち、正面側壁部７の上端面７ｂが小便器本体２の頂部まで形成されている。
【００１８】
さらに、小便器本体２のボウル部６のボウル面６ａを正面側に形成する正面側壁部７の背面側（裏側）且つ上方には、自動洗浄ユニット４が概ね収納されるボウル部後方収納室２０（収納室）が形成されている。このボウル部後方収納室２０の上方には、上蓋１０が小便器本体２に対して上方から着脱可能に取り付けられている。
【００１９】
つぎに、小便器本体２は、排水口８ａの下方に設けられた排水トラップ部１２と、排水口８ａに上方から取り付けられてボウル部６内と排水トラップ部１２内とを連通させる目皿（図示せず）を備えており、この排水トラップ部１２は、排水口８ａよりも下方（下流側）に溜水を貯留して封水を形成するようになっている。
【００２０】
さらに、図１に示すように、小便器本体２は、排水トラップ部１２の下方側（下流側）に設けられた排水ソケット１４を介して小便器本体２の外部の排水配管（図示せず）に接続される。
なお、本発明においては、排水ソケット１４については省略し、排水トラップ部１２の下方側（下流側）と排水配管（図示せず）とを直接的に接続するようにしてもよい。
【００２１】
つぎに、図１及び図２を参照して、本発明の一実施形態による小便器装置１の小便器本体２においてボウル部６と一体に形成されているボウル部後方収納室２０と、ボウル部後方収納室２０内の比較的小さな空間に内蔵される自動洗浄ユニット４とについて説明する。図２は本発明の一実施形態による小便器装置の上蓋を取り外した状態の上部を示す背面図である。
【００２２】
図１に示すように、ボウル部後方収納室２０は、ボウル部６のさらに上方側に配置されるのではなく、ボウル部６の正面側壁部７の後方側（裏側）において、ボウル部６に洗浄水を供給する自動洗浄ユニット４を正面側壁部７の裏側に隠れるように収納するように形成されている。このように、ボウル部後方収納室２０は、ボウル部６と、背後の壁面Ｗとの間の隙間に形成された比較的狭い領域において、小便器装置１の洗浄動作に必要な自動洗浄ユニット４を収納できるようにコンパクトに形成されている。このようなボウル部後方収納室２０の前面は、正面側壁部７によって形成されている。正面側壁部７は、自身の上部に対して自身の下部が後方側に位置しており、やや下方向きの傾きを有している。
【００２３】
また、図２に示すように、ボウル部後方収納室２０は、その内部に、上下方向の略中央においてボウル部後方収納室２０の左側の内壁から右側へ向けて突出する支持部２１と、支持部２１とボウル部後方収納室２０の右側の内壁との間に設けられるトレイ部材２３とを有する。トレイ部材２３は、ＰＰ（ポリプロピレン）にて形成され、ボウル部後方収納室２０を上下に分割する。トレイ部材２３の詳細は後述する。
【００２４】
ボウル部後方収納室２０に収納される自動洗浄ユニット４は、水道等の給水源から洗浄水を供給する給水配管１６（配管部材）と、給水配管１６が接続される止水栓２４と、止水栓２４の下流側に設けられる一次側給水管２２と、一次側給水管２２を開閉する給水バルブユニット２６と、ボウル部６の上部の正面側壁部７に配置され給水バルブユニット２６から供給される洗浄水をボウル部６に吐水する吐水部であるスプレッダ２８と、スプレッダ２８と給水バルブユニット２６とを接続する第１給水管部３２とを備えている。
止水栓２４、一次側給水管２２、給水バルブユニット２６、第１給水管部３２の上流端部はトレイ部材２１の上方に位置する。
【００２５】
給水配管１６は、全体として略Ｌ字状に形成され、ボウル部後方収納室２０における下方側且つ右側である給水位置Ｐから左方へ向けて延び、屈曲した上で、上方へと延びて止水栓２４と接続する。なお、本実施形態において、給水位置Ｐは、ボウル部後方収納室２０における下方側且つ右側であるが、本発明はこのような形態に限定されるものではなく、例えば、上方且つ中央や、下方且つ左側等、ボウル部後方収納室２０内であればよい。また、本実施形態において、給水配管１６は、全体として略Ｌ字状に形成されるが、本発明はこのような形態に限定されるものではなく、給水位置と止水栓とを接続し且つボウル部後方収納室２０内にて収まる形態であればよい。
【００２６】
給水バルブユニット２６は、一次側給水管２２と第１給水管部３２との間の流路を電気的に開閉できる電磁弁（図示せず）を有している。
給水バルブユニット２６は、ボウル部後方収納室２０の比較的小さく限られた空間の中
で、スプレッダ２８の後方側且つ右側にずれた位置に配置されている。電磁弁２９は、スプレッダ２８の高さとほぼ同様の高さに配置されている。
【００２７】
スプレッダ２８は、ボウル部後方収納室２０内に配置される洗浄水の入口部に連通しボウル部６の正面側壁部７の裏側から表側まで直線的に延びている供給通路３３を備え、供給通路３３から供給される洗浄水をボウル部６の表面に沿わせ且つ拡散するように吐水する。
また、スプレッダ２８には、ボウル部６の前面に向けられ、使用者の有無を検知する人体検知センサ（図示せず）が取付けられている。
【００２８】
自動洗浄ユニット４は、さらに、スプレッダ２８の人体検知センサ（図示せず）からの検知信号及び所定の制御プログラム等に基づいて給水バルブユニット２６等を電気的に制御することができる制御ユニット３８を備えている。
制御ユニット３８は、支持部２１上に設けられ、スプレッダ２８の人体検知センサ（図示せず）からの検知信号及び所定の制御プログラム等に基づいて、給水バルブユニット２６を開閉制御し、洗浄水をスプレッダ２８からボウル部６に吐水させるようになっている。制御ユニット３８も、ボウル部後方収納室２０の比較的小さく限られた空間内に収納されている。
【００２９】
つぎに、図２及び図３を参照して、本発明の一実施形態によるトレイ部材２３について説明する。図３は本発明の一実施形態によるトレイ部材を示す斜視図である。
【００３０】
図３に示すように、トレイ部材２３は、略直線状の後端面２３ａと、後端面２３ａの右端から前方に延びる右端面２３ｂと、後端面２３ａの左端から前方へ右端面２３ｂよりも後方側の位置にまで延びる左端面２３ｃと、右端面２３ｂの前端と左端面２３ｃの前端とを円弧状に繋ぐ前端面２３ｄと、を有する平面視四角形状の板状部材である。
また、トレイ部材２３は、各端面２３ａ、２３ｂ、２３ｃ、２３ｄを除く略全体にて下方に凹む凹部２３ｆと、小便器本体２とへの固定のための接続部２３ｇと、上下方向の貫通孔２３ｈが開設された開口部２３ｊと、貫通孔２３ｈを覆う被覆部２３ｋと、を有する。
【００３１】
接続部２３ｇは、接続孔２３ｇ１が形成され、接続孔２３ｇ１の周囲には上下方向にたわむことが可能な厚み吸収部２３ｇ２が設けられる。
接続孔２３ｇ１は、小便器本体２に開設された孔（図示せず）と上下方向にて一致した状態で、接続孔２３ｇ１及び小便器本体２に開設された孔（図示せず）にプッシュリベットを挿通することでトレイ部材２３を小便器本体２に固定することができる。また、接続孔２３ｇ１は前後方向よりも左右方向に長い略楕円形状であり、左右方向における小便器本体２の製造誤差を吸収することができる。
厚み吸収部２３ｇ２は上下方向にたわむことが可能なため、小便器本体２に開設された孔（図示せず）の製造誤差を吸収することができる。
【００３２】
貫通孔２３ｈは、トレイ部材２３の後端面２３ａの一部を後方側に開放した切欠き形状に形成される。
【００３３】
貫通孔２３ｈを覆う被覆部２３ｋは、貫通孔２３ｈに給水配管１６を挿通可能に形成される。即ち、貫通孔２３ｈの左右両端の内の右側から左側へ斜め前方に向けて延びる帯状の複数の第１スリット形成部２３ｋ１と、隣接している各第１スリット形成部２３ｋ１同士の左側端部の間に向けて、貫通孔２３ｈの左右両端の内の左側から右側へ斜め前方に向けて延びる帯状の複数の第２スリット形成部２３ｋ２と、を有する。
なお、本発明においては、第１スリット形成部が左側から右側へ斜め前方に向けて延び、第２スリット形成部が各第１スリット形成部同士の右側端部の間に向けて、貫通孔２３ｈの左右両端の内の右側から左側へ斜め前方に向けて延びる形態としてもよい。
【００３４】
各第１スリット形成部２３ｋ１と各第２スリット形成部２３ｋ２とは互い違いに設けられ、各第１スリット形成部２３ｋ１の前方側端面は、各第２スリット形成部２３ｋ２の先端面に沿って延ばした仮想線と一致するよう形成されている。そのため、隣接する第１スリット形成部２３ｋ１同士の間に形成され右側から左斜め前方に向けて延びる各スリットの先端が、隣接する第２スリット形成部２３ｋ２同士の間に形成され左側から右斜め前方に向けて延びる各スリットの中腹に合流する。また、隣接する第２スリット形成部２３ｋ２同士の間に形成され左側から右斜め前方に向けて延びる各スリットの先端が、隣接する第１スリット形成部２３ｋ１同士の間に形成され右側から左斜め前方に向けて延びる各スリットの中腹に合流する。従って、前側を下、後側を上とした際の上面視において、逆λ字状のスリットが連なった状態で形成される。
【００３５】
上述した本発明の一実施形態による小便器装置１によれば、トレイ部材２３は、上下方向の貫通孔２３ｈが開設された開口部２３ｊと、貫通孔２３ｈを覆う被覆部２３ｋと、を有し、被覆部２３ｋは、貫通孔２３ｈに給水配管１６を挿通可能に形成される。そのため、給水配管１６を挿通する必要がない場合だけでなく挿通する必要がある場合においても、施工やメンテナンス等のボウル部後方収納室２０への作業時に自動洗浄ユニット４、自動洗浄ユニット４に関係するネジ等の部品や工具が落下しても、貫通孔２３ｈから下方へ落下することが抑制される。従って、作業時において、自動洗浄ユニット４、自動洗浄ユニット４に関係するネジ等の部品や工具が作業者の手の届かない位置にまで落下していき小便器装置１を外さなくてはそれら落下物を拾い上げられないという状況の発生を抑制することができる。さらに、給水配管１６を挿通する必要の有無によって、それぞれ別のトレイ部材２３を用意する必要がなく、コストの増加及び管理の手間を少なくすることができる。
【００３６】
また、上述した本発明の一実施形態による小便器装置１によれば、トレイ部材２３の被覆部２３ｋは、複数の第１スリット形成部２３ｋ１及び複数の第２スリット形成部２３ｋ２を有するため、貫通孔２３ｈに給水配管１６を挿通させる際、壁面Ｗに給水配管１６を固定した状態にて、トレイ部材２３を設けた小便器本体１を壁面Ｗに向けて押し付けることで容易に行うことができる。さらに、複数のスリットが形成されるため、小便器本体２の製造誤差を吸収することができる。
【００３７】
また、上述した本発明の一実施形態による小便器装置１によれば、トレイ部材２３の各第１スリット形成部２３ｋ１と各第２スリット形成部２３ｋ２とは互い違いに設けられ、各第１スリット形成部２３ｋ１の前方側端面は、各第２スリット形成部２３ｋ２の先端面に沿って延ばした仮想線と一致するよう形成されている。そのため、貫通孔２３ｈに給水配管１６を挿通させる際、壁面Ｗに給水配管１６を固定した状態にて、トレイ部材２３を設けた小便器本体１を壁面Ｗに向けて押し付けることをより容易に行うことができる。
【００３８】
さらに、上述した本発明の一実施形態による小便器装置１によれば、給水配管１６により様々な給水位置Ｐに対応することができる。
【符号の説明】
【００３９】
１        小便器装置
２        小便器本体
４        自動洗浄ユニット（機能部材）
６        ボウル部
６ａ      ボウル面
６ｂ      ボウル面下部
７        正面側壁部
７ｂ      上端面
８        排水口部
８ａ      排水口
１０      上蓋
１２      排水トラップ部
１４      排水ソケット
１６      給水配管（配管部材）
２０      ボウル部後方収納室（収納室）
２１      支持部
２２      一次側給水管路
２３      トレイ部材
２３ａ    後端面
２３ｂ    右端面
２３ｄ    左端面
２３ｅ    前端面
２３ｆ    凹部
２３ｇ    接続部
２３ｇ１  接続孔
２３ｇ２  厚み吸収部
２３ｈ    貫通孔
２３ｊ    開口部
２３ｋ    被覆部
２３ｋ１  第１スリット形成部
２３ｋ２  第２スリット形成部
２４      止水栓
２６      給水バルブユニット
２８      スプレッダ
３２      第１給水管部
３３      供給通路
３８      制御ユニット
Ｆ        床面
Ｗ        壁面
Ｐ        給水位置
【図１】
0006617475.tif 000002
【図２】
0006617475.tif 000003
【図３】
0006617475.tif 000004